(57)【特許請求の範囲】
【請求項１】
細板状で、上部が長手方向に凹凸の波状ないしジグザグ状をなし、縦向きの山及び谷を有する主部材と、並設される主部材と直交して該主部材に固着の連結材よりなり、前記主部材のうち、少なくとも隣接するグレーチングの互いに向き合う最端の主部材は、前記上部に形成の山から谷までの深さが主部材の肉厚より大で、かつ前記山が主部材の両側に突出するグレーチングを連結するための連結金具であって、隣接するグレーチングの前記互いに向き合う最端の両主部材に上側より当てがって掛け渡される上板と、前記両主部材に下側より当てがわれる下板と、前記上板及び下板の両側部のうち、少なくとも一側部において、前記主部材を上下より挟み込んで固定するべく前記上板及び下板を連結し、前記主部材上部の山間ないし谷に嵌合した状態に添設されるピンよりなり、該ピンの上下の両端部のうち、少なくとも一端部に上板又は下板に捩じ込まれるネジ部を有するか、或いは上板又は下板に差込まれて、該板より突出する突出部にナットが捩じ込まれるネジ部を有することを特徴とする連結金具。
【請求項２】
細板状で、上部が長手方向に凹凸の波状ないしジグザグ状をなし、縦向きの山及び谷を有する主部材と、並設される主部材と直交して該主部材に固着の連結材よりなるグレーチングを連結するための連結金具であって、隣接するグレーチングの互いに向き合う最端の両主部材に上側より当てがって掛け渡される上板と、前記両部材に下側より当てがわれる下板と、前記上板及び下板の両側部のうち、少なくとも一側部において、前記主部材を上下より挟み込んで固定するべく前記上板及び下板を連結し、主部材を挟み込む上下の前記上板及び下板を連結するピンよりなり、該ピンは段付き状をなして上部に、その下側部分よりも側方に突出して前記主部材上部の山間ないし谷に嵌合する張出部を有すると共に、該張出部上の上端部とピン下端部のうち、少なくとも一方の端部に上板又は下板に捩じ込まれるネジ部を有するか、或いは上板又は下板に差込まれて、該板より突出する突出部にナットが捩じ込まれるネジ部を有することを特徴とする連結金具。
【請求項３】
全体が波状ないしジグザグ状をなし、上端から下端にわたって縦向きの山及び谷を有する主部材と、並設される主部材と直交して縦主部材に固着される連結材よりなるグレーチングを連結するための連結金具であって、隣接するグレーチングの互いに向き合う最端の両主部材に上側より当てがって掛け渡される上板と、前記両主部材に下側より当てがわれる下板と、前記上板及び下板の両側部のうち、少なくとも一側部おいて、前記主部材の山間に嵌合した状態で主部材を挟み込んで固定するべく前記上板及び下板を連結するピンよりなり、該ピンの上下の両端部のうち、少なくとも一端部に上板又は下板に捩じ込まれるネジ部を有するか、或いは上板又は下板に差込まれて、該板より突出する突出部にナットが捩じ込まれるネジ部を有することを特徴とする連結金具。
【請求項４】
一側部において前記ピンにより連結される前記上板及び下板のうち、いずれか一方に前記ピンと平行な固定ピンが固定され、該固定ピンは前記ピンの周りに回動する上板又は下板に係止するか、或いは上板又は下板に形成の孔に嵌挿されることを特徴とする請求項１ないし３のいずれかの請求項に記載の連結金具。
【発明の詳細な説明】
【技術分野】
【０００１】
本発明は、側溝等に装着されるグレーチングの隣接するグレーチング同士を連結する連結金具に関する。
【背景技術】
【０００２】
側溝等に装着されるグレーチングのガタ付きを防止したり、盗難を防止する目的で隣接するグレーチング同士を連結金具を用いて連結することが行われている。既知のこの種の連結金具には、Ｕ形断面のクリップ状をなして両側壁のくびれ部分に切欠きによって突片を形成し、隣接して装着されるグレーチングのエンドプレート同士に上方より差込んで、突片をエンドプレートに食い込ませて係止させるようにしたもの（特許文献１）、隣接して装着されるグレーチングのベアリングバー同士に上方より嵌合するコ形断面の嵌合部と、該嵌合部の一側壁下端に側方に突出する倒Ｖ形の取付部を屈曲形成した被着金具と、前記ベアリングバー同士に下側より当てがわれ、前記嵌合部とで両ベアリングバーを上下より挟み込む横部と、前記取付部に下方より差込まれる縦部よりなるＬ形の支持部を備え、前記取付部に下方より差し込まれ、取付部より上方に突出する前記支持部の縦部にナットを捩じ込むことにより両ベアリングバーを挟み込んで固定するようにしたもの（特許文献２）などが知られる。
【０００３】
また細板状の主部材（ベアリングバー）と、並設される主部材と直交して配置される連結材（クロスバー）よりなるグレーチングにおいて、主部材の強度を損なわずに軽量化し、滑り止めのため、主部材の上部を波状又はジグザグ状に屈曲加工したものも知られる（特許文献３）。
【先行技術文献】
【特許文献】
【０００４】
【特許文献１】特開平９−２５０１６５号公報
【特許文献２】実願平３−１１３６０５号（実開平５−６７６８７号）のＣＤ−ＲＯＭ
【特許文献３】特開２００２−３４９０１０号
【発明の概要】
【発明が解決しようとする課題】
【０００５】
特許文献１に開示される連結金具は、隣接して連結されるグレーチングの一方の浮き上がりに伴って浮き上がり、グレーチングの一方が他方より浮き上がるのを阻止することができない。
【０００６】
特許文献２に開示される連結金具においては、隣接して連結されるグレーチングの一方の浮き上がりを防止することはできるが、主部材がその長手方向にずれるのを防ぐことができない。主部材長手方向における連結金具の幅を連結材の間隔と同じにすれば、主部材の長手方向のずれを防ぐことができるが、連結金具が大きくなり、コストが嵩むと共に美観を損ねる。
【０００７】
本発明は、特許文献３に開示されるようなグレーチングを前記のような問題を生ずることなく連結することができる連結金具を提供することを目的とする。
【課題を解決するための手段】
【０００８】
請求項１に係る発明は、細板状で、上部が長手方向に凹凸の波状ないしジグザグ状をなし、縦向きの山及び谷を有する主部材と、並設される主部材と直交して該主部材に固着の連結材よりなり、前記主部材のうち、少なくとも隣接するグレーチングの互いに向き合う最端の主部材は、前記上部に形成の山から谷までの深さが主部材の肉厚より大で、かつ前記山が主部材の両側に突出するグレーチングを連結するための連結金具であって、隣接するグレーチングの前記互いに向き合う最端の両主部材に上側より当てがって掛け渡される上板と、前記両主部材に下側より当てがわれる下板と、前記上板及び下板の両側部のうち、少なくとも一側部において、前記主部材を上下より挟み込んで固定するべく前記上板及び下板を連結し、前記主部材上部の山間ないし谷に嵌合した状態に添設されるピンよりなり、該ピンの上下の両端部のうち、少なくとも一端部に上板又は下板に捩じ込まれるネジ部を有するか、或いは上板又は下板に差込まれて、該板より突出する突出部にナットが捩じ込まれるネジ部を有することを特徴とする。
【０００９】
請求項２に係る発明は、細板状で、上部が長手方向に凹凸の波状ないしジグザグ状をなし、縦向きの山及び谷を有する主部材と、並設される主部材と直交して該主部材に固着の連結材よりなるグレーチングを連結するための連結金具であって、隣接するグレーチングの互いに向き合う最端の両主部材に上側より当てがって掛け渡される上板と、前記両部材に下側より当てがわれる下板と、前記上板及び下板の両側部のうち、少なくとも一側部において、前記主部材を上下より挟み込んで固定するべく前記上板及び下板を連結し、主部材を挟み込む上下の前記上板及び下板を連結するピンよりなり、該ピンは段付き状をなして上部に、その下側部分よりも側方に突出して前記主部材上部の山間ないし谷に嵌合する張出部を有すると共に、該張出部上の上端部とピン下端部のうち、少なくとも一方の端部に上板又は下板に捩じ込まれるネジ部を有するか、或いは上板又は下板に差込まれて、該板より突出する突出部にナットが捩じ込まれるネジ部を有することを特徴とする。
【００１０】
請求項３に係る発明は、全体が波状ないしジグザグ状をなし、上端から下端にわたって縦向きの山及び谷を有する主部材と、並設される主部材と直交して縦主部材に固着される連結材よりなるグレーチングを連結するための連結金具であって、隣接するグレーチングの互いに向き合う最端の両主部材に上側より当てがって掛け渡される上板と、前記両主部材に下側より当てがわれる下板と、前記上板及び下板の両側部のうち、少なくとも一側部おいて、前記主部材の山間に嵌合した状態で主部材を挟み込んで固定するべく前記上板及び下板を連結するピンよりなり、該ピンの上下の両端部のうち、少なくとも一端部に上板又は下板に捩じ込まれるネジ部を有するか、或いは上板又は下板に差込まれて、該板より突出する突出部にナットが捩じ込まれるネジ部を有することを特徴とする。
【００１１】
請求項４に係る発明は、請求項１ないし３のいずれかの請求項において、一側部において前記ピンにより連結される前記上板及び下板のうち、いずれか一方に前記ピンと平行な固定ピンが固定され、該固定ピンは前記ピンの周りに回動する上板又は下板に係止するか、或いは上板又は下板に形成の孔に嵌挿されることを特徴とする。
【発明の効果】
【００１２】
本発明に係る連結金具は、側溝等に隣接して設置されるグレーチングの互いに向き合う主部材同士を連結するによると、互いに向き合う主部材同士を上板と下板とで上下より挟み込んで支持するもので、一方のグレーチングが浮き上がったり、グレーチングの浮き上がりにより連結金具が主部材より外れるのを防ぐことができる。また連結金具のピンが主部材上部又は主部材の谷ないし山間に嵌合することにより主部材（グレーチング）と連結金具の相対的なずれが生ずるのを防ぐことができる。この点で請求項１−３に係る発明は、いずれも共通する特別な技術的特徴を有し、発明の単一性を有するものである。なお、ピンは主部材の長手方向に多数設けられるいずれの谷に嵌合係止させてもよく、また連結金具による連結は主部材の長手方向における一か所に限らず、複数か所を連結することもできる。
【００１３】
請求項４に係る発明の連結金具においては、ピンの捩じ込み操作は、固定ピンが上板又は下板に係止するか、或いは上板又は下板に形成の孔に嵌挿することで上板又は下板が回り止めされた状態で行われ、この状態で捩じ込み操作を行うと、上板又は下板がピンに沿って昇降し、主部材を上下より挟み込み固定する。またピンが下板より突出し、グレーチング上に突出しないように構成すれば、歩行者や車両がピンに引掛かることなく歩行や車両の走行がスムースに行えるようになる。
【図面の簡単な説明】
【００１４】
【図１】本発明に係る連結金具の正面図。
【図２】本発明の連結金具が適用されるグレーチングの要部の平面図。
【図３】グレーチングの主部材を図１に示す連結金具を用いて連結した要部の拡大平面図。
【図４】主部材を連結した連結金具の正面図。
【図５】別の形態の主部材を図１に示す連結金具を用いて連結した要部の拡大平面図。
【図６】図５に示す主部材を連結した連結金具の正面図。
【図７】別の形態のピンを備えた連結金具の正面図。用いて主部材を連結した要部の拡大平面図。
【図８】主部材を連結した図７に示す連結金具の平面図。
【図９】同側面図。
【発明を実施するための形態】
【００１５】
以下、本発明の実施形態の連結金具について図面により説明する。
図１は、側溝等に隣接して装着される図２に示すグレーチング１の主部材（ベアリングバー)２のうち、向い合う最端の主部材２ａを連結するのに用いる連結金具を示すもので、グレーチング１は上部２ｂが波状に屈曲形成されて縦向きの山及び谷を有する細板状の主部材２と、並設される主部材と直交して配置され、主部材上部に電気抵抗溶接して固着されるロッド状の連結材(クロスバー)３よりなり、図３に示すように、主部材上部の山と谷の深さＨは、上部下の主部材２の肉厚ｔより大で、山が上部下の主部材２よりグレーチング内の内側及びグレーチング外の外側に突出している。
【００１６】
図示するグレーチング１の主部材２は上部２ａが波状となっているが、ジグザグ状に形成されていてもよい。また主部材上部２ａは、最端の主部材２についてのみ山から谷までの深さＨを大にして、後述の連結部材を構成するピンが山間又は谷に嵌合できるようになっていればよく、最端の主部材２を除く他の主部材上部は波状に屈曲形成されていても、山間又は谷にはピンは嵌合されないので、山から谷までの深さは浅く、極端にいえば、主部材2より側方に突出して形成されていなくてもよい。
【００１７】
連結金具５は、側溝等に隣接して装着されるグレーチング１の互いに向き合う最端の主部材２ａの上下において、これら両部材２ａに掛け渡される上板６及び下板７と、上端が上板６に固定支持される固定ピン８と、上端に頭部９ａを有して上板６に差し込んで通され、下端部に下板７のネジ孔に捩じ込まれるネジ部９ｂを有する止ネジ状（ボルト状であってもよい）のピン９とよりなっている。
【００１８】
側溝等に装着したグレーチング１の連結は、上板６に固定ピン８を固定し、かつピン９を上板６に開けた孔に頭部９ａが上板６に当たるまで通した状態で隣接するグレーチング１の互いに向き合う最端の主部材２間に連結金具５の上板６を主部材上より掛け渡し、固定ピン８を向き合う主部材２ａの一方にグレーチング内側から当てると共に、ピン９を向き合う主部材２の他方にグレーチング内側から当て、各ピン８、９の上部を主部材上部の側方に突出する山間（谷）に嵌合させて各主部材２ａに添設する。ついで前記最端の主部材間に下板７を主部材下側から当てがった状態で、ピン９の捩じ込み操作により下端部のネジ部９ｂを下板７のネジ孔に捩じ込む。この捩じ込みにより下板７が図３の時計方向に回動し、固定ピン８に突き当たって係止し、回り止めされる。この状態でピン９の捩じ込みを続けると、下板７がピン９に押付けられ、回り止めされた状態で持ち上がり、上板６とで主部材２を上下より挟み込んで固定する。図４は、主部材２ａが連結金具５で固定された状態を示す。
【００１９】
本実施形態の連結金具によると、隣接するグレーチングの互いに向き合う最端の主部材２ａ同士は上板６と下板７とで上下より挟み込まれて固定され、一方のグレーチング１が浮き上がったり、グレーチング１の浮き上がりにより連結金具５が主部材２ａより浮き上がって外れるのを防ぐことができる。また連結金具５のピン８、９が主部材上部の谷ないし山間に嵌合することにより主部材２（グレーチング１）と連結金具５の相対的なずれが規制され、しかもピン８はグレーチング上に突出せず、ピン９の頭部９ａは突出量が極めて小さく、歩行者が歩行したり、車両の走行に支障を生ずることはない。
【００２０】
前記固定ピン８は下板７に形成される孔に嵌挿させるようにしてもよい。これにより前記と同様、下板７は回り止めされ、ピン９を捩じ込み操作してもピン９の周りに回転できなくなる。
ピン９による連結は、前記と逆に下板７の下側より下板７に通し、上板６に捩じ込んで行うようにしてもよい。この場合、ピン９が上板６より突出するようになるが、突出量が僅かであれば、歩行や車両の走行に支障を来たすことはない。
【００２１】
前記実施形態では、固定ピン８は下板7の回り止めを行い、上板６と下板７を連結していないが、ピン９と同様、上板６と下板７を連結してもよい。上板６と下板７を連結する場合、ピン９と同様に構成し、上板６に通したのち、下板７に捩じ込んで止着するか、或いは下板７に通し、下板７より突出するネジ部にナットを捩じ込んで止着するようにされる。
【００２２】
連結金具５の固定ピン８とピン９間の間隔は、ピン８、９が向き合う主部材上部２ａの山間に嵌合し、山によって動きを拘束されるようになっていれば、互いに向き合う主部材２ａの間隔より大で、主部材２ａより若干離間するようになっていてもよいが、好ましくは主部材上部２ａ間の間隔（正確には向き合う主部材上部２ａのピン８、９が係合する係合点間の間隔、すなわちピン８が係合する一方の主部材上部２ａの係合点と、ピン９が係合する他方の主部材上部２ａの係合点までの距離）より狭くし、連結状態でピン８、９が主部材上部２ａを主部材上部間が狭まるように押し込んでグレーチング１を長手方向に、更には該方向と直交する方向に動きを生じないように固定するのが望ましい。
【００２３】
前記実施形態の連結金具５は、主部材上部が波状をなすグレーチング１に適用した例を示したが、主部材上部がジグザグ状をなすグレーチングにも同様にして適用される。
【００２４】
図５及び図６は主部材の上部だけでなく、全体が波状ないしジグザグ状をなし、縦向きの山及び谷が上端から下端に至るまで形成される主部材１１のうち、互いに向き合う最端主部材１１ａを図１に示す連結金具５を用いて連結した例を示すもので、連結金具５による主部材１１の連結はピン８、９が主部材１１ａの上端から下端に至るまでの山間ないし谷に嵌合した状態で前記実施形態と同様にして行われる。
【００２５】
図７は別の実施形態の連結金具１３を示すもので、上板１４及び下板１５を連結する前記ピン８に相当するピン１６及び前記ピン９に相当するピン１７は、段付き状で、上部にその下側部分よりも側方に突出して主部材上部２ａの谷に嵌合する径大の張出部１６ａ、１７ａを形成し、該張出部１６ａ、１７ａが図８及び図９に示すように、前記主部材上部２ａの山間ないし谷に係合するようにしたもので、この連結金具１３においても主部材２の連結は、ピン１６、１７の張出部１６ａ、１７ａがそれぞれ主部材上部の山間ないし谷に嵌合した状態で前記実施形態と同様にして行われる。
【符号の説明】
【００２６】
１・・グレーチング
２、１５・・主部材
３・・連結材
５、１３・・連結金具
６、１４・・上板
７、１５・・下板
８、９、１６、１７・・ピン
【図１】
0006482429.tif 000002
【図２】
0006482429.tif 000003
【図３】
0006482429.tif 000004
【図４】
0006482429.tif 000005
【図５】
0006482429.tif 000006
【図６】
0006482429.tif 000007
【図７】
0006482429.tif 000008
【図８】
0006482429.tif 000009
【図９】
0006482429.tif 000010